(57)【要約】【課題】電極の着脱が簡単にでき、電極の切削加工が誰にでも簡単にできるボール盤式ドレッサー装置を提供すること。【解決手段】下端を開口した穴部９内にカッター刃１２を取付けたドレッサーヘッド１を、ボール盤２のドリル装着部３に取付け、電極７を着脱可能に取付けたドレッサーベース５を、ドレッサーヘッド１の下方で、ボール盤２のテーブル６上に固定し、ボール盤２を動作することによりドレッサーヘッド１を回転し、ボール盤２のハンドル４を操作することによってドレッサーヘッド１を昇降するボール盤式ドレッサー装置において、前記ドレッサーベース５のホルダー２２に、シャンク部２７とチップ部２８を一体に形成した電極７を、回転止め部材２４にて回転を阻止して取付けた。またホルダー２２の上端に設けた切欠き溝１９に電極７のチップ部２８を挿入した回転止め部材２４を嵌め込んだ。【選択図】図１
2018183814.tif 000002
【特許請求の範囲】
【請求項１】
下端を開口した穴部内にカッター刃を取付けたドレッサーヘッドを、ボール盤のドリル装着部に取付け、電極を着脱可能に取付けたドレッサーベースを、ドレッサーヘッドの下方で、ボール盤のテーブル上に固定し、ボール盤を動作することによりドレッサーヘッドを回転し、ボール盤のハンドルを操作することによってドレッサーヘッドを昇降するボール盤式ドレッサー装置において、前記ドレッサーベースのホルダーに、シャンク部とチップ部を一体に形成した電極を、回転止め部材にて回転を阻止して取付けたことを特徴としたボール盤式ドレッサー装置。
【請求項２】
前記ホルダーの上端に設けた切欠き溝に電極のチップ部を挿入した回転止め部材を嵌め込んだことを特徴とした請求項１記載のボール盤式ドレッサー装置。
【発明の詳細な説明】
【技術分野】
【０００１】  本発明は電気抵抗スポット溶接機の電極を切削するため、ボール盤に取付けて使用するボール盤式ドレッサー装置に関するものである。
【背景技術】
【０００２】  電気抵抗スポット溶接機の電極は、溶接を繰返すと、電極の摩耗や変形、或いは表面に溶接屑が付着する等のため良好な溶接ができなくなるので、定期的に表面を切削加工して、所定の形状に戻す必要があり、旋盤等による切削加工は熟練を要し、電極の表面を精度よく研磨処理することは素人では困難であるという問題があった。【０００３】  このような問題を解決するため、従来、図７に示すように、カッター刃を内蔵したドレッサーヘッド５１をボール盤のドリル装着部に取付けるとともに、ドレッサーベース５２を、ドレッサーヘッド５１の下方で、ボール盤のテーブル上に固定し、ドレッサーベース５２にキャップチップ５３を着脱可能に取付け、ボール盤を動作することによりドレッサーヘッド５１を回転し、ボール盤のハンドルを操作することによりドレッサーヘッド５１を下降し、ドレッサーベース５２に取付けたキャップチップ５３を切削することにより、熟練した技術者でなくても、誰もが一定の表面形状に切削加工可能なボール盤式ドレッサー装置がある。
（例えば特許文献１参照）
【先行技術文献】
【特許文献】
【０００４】
【特許文献１】特開１８１５−０４７４７０号
【発明の概要】
【発明が解決しようとする課題】
【０００５】  前記のものでは、シャンクに取付けられるキャップチップを切削するものであり、このようなボール盤式ドレッサー装置では、シャンク部とチップ部を一体に形成した電極では、ドレッサーベースにシャンク部とチップ部を一体に形成した電極を取付けることができないため、電極のためのボール盤式ドレッサー装置が要望されていた。【０００６】  本発明は、前記の点に鑑みてなされたものであり、シャンク部とチップ部を一体に形成した電極の着脱が簡単にでき、電極の切削加工が誰にでも簡単にできるボール盤式ドレッサー装置を提供することを目的になされたものである。
【課題を解決するための手段】
【０００７】  上記課題を解決するためになされた本発明のボール盤式ドレッサー装置は、下端を開口した穴部内にカッター刃を取付けたドレッサーヘッドを、ボール盤のドリル装着部に取付け、電極を着脱可能に取付けたドレッサーベースを、ドレッサーヘッドの下方で、ボール盤のテーブル上に固定し、ボール盤を動作することによりドレッサーヘッドを回転し、ボール盤のハンドルを操作することによってドレッサーヘッドを昇降するボール盤式ドレッサー装置において、前記ドレッサーベースのホルダーに、シャンク部とチップ部を一体に形成した電極を、回転止め部材にて回転を阻止して取付けたことを特徴とするものである。【０００８】  前記ホルダーの上端に設けた切欠き溝に電極のチップ部を挿入した回転止め部材を嵌め込んだものであることが好ましく、これを請求項２に係る発明とする。
【発明の効果】
【０００９】  請求項１の発明では、ドレッサーベースのホルダーに、シャンク部とチップ部を一体に形成した電極を、回転止め部材にて回転を阻止して取付けたので、誰にでも簡単に、シャンク部とチップ部を一体に形成した電極の切削加工ができる【００１０】  請求項２の発明では、前記ホルダーの上端に設けた切欠き溝に電極のチップ部を挿入した回転止め部材を嵌め込んだので電極の着脱が容易にできる。
【図面の簡単な説明】
【００１１】
【図１】本発明の使用状態を示す正面図である。
【図２】図１のドレッサーヘッドの一部切欠き正面図である。
【図３】図１の電極を取付けたドレッサーベースの正面図である。
【図４】図３の断面側面図である。
【図５】図３のホルダーの図面であり、（ａ）は平面図、（ｂ）は断面正面図、（ｃ）は側面図である。
【図６】図３の回転止め部材の図面であり、（ａ）は平面図、（ｂ）は正面図である。
【図７】従来例を示す正面図である。
【発明を実施するための形態】
【００１２】  以下、本発明の好ましい実施の形態について図１乃至図６に基づいて説明すると、図１は本発明の使用状態を示す正面図であり、図中、１はボール盤２のドリル装着部３に取付けられているドレッサーヘッドであり、ドレッサーヘッド１は、ボール盤２を動作することにより回転するとともに、ハンドル４を操作することによって昇降する。
【００１３】  ５はドレッサーヘッド１の下方で、ボール盤２のテーブル６の上に固定されたドレッサーベースであり、ドレッサーベース５には電極７が着脱可能に取り付けられている。
【００１４】  前記のドレッサーヘッド１は図２に示すように、下端を開口した穴部９を有し、上部に取付け用軸部８を突設した筒状本体１０と、筒状本体１０の穴部９内にクランプ部材１１にて着脱自在に取付けられたカッター刃１２とから構成されている。
【００１５】  前記のドレッサーベース５は図３乃至図６に示すように、上端を開口した円柱形の挿入穴１３と、一側面より挿入穴１３に達するねじ孔１４を有し、下端に取付け板１５を固着した角柱状の本体１６と、中間部に段差１７を設けて下部を細径部とし、細径部の中間部に平面状の陥没部１８を設け、上端に、両端の内側対向面が並行な壁面である小判形の切欠き溝１９を形成するとともに、中間部に段差２０を設けて下部を細径部とした電極７の挿入穴２１を設けたホルダー２２と、電極７の先端部が差し込まれる矩形の貫通孔２３を形成し、前記ホルダー２２の小判形の切欠き溝１９に嵌め込まれて電極７の回転を阻止する回転止め部材２４と、本体１６のねじ孔１４に螺合され、先端をホルダー２２の陥没部１８に当接しホルダー２２を上下動可能に保持するボルト２５と、ホルダー２２の下部に装着された、電極７への衝撃を緩和するコイルばね２６とから構成されている。
【００１６】  前記の電極７は、下部の円柱状シャンク部２７と、平面視がシャンク部２７と同径かつ先端円弧状で、側面視が板状のいわゆる舌状の突出部であるチップ部２８とが一体に形成されている。尚、このような電極は鉄板等に形成した溝の底面を溶接する場合、溝の中に舌状のチップ部が入り込み溶接するものである。
【００１７】  次に、本発明の動作を説明すると、ドレッサーヘッド１の上部の取付け用軸部８をボール盤２のドリル装着部に装着してドレッサーヘッド１をボール盤２に取付けるとともに、ボール盤２のテーブル６の略中央に、ドレッサーヘッド１の下方でドレッサーヘッド１の穴部９とドレッサーベース５のホルダー２２が対応する位置にドレッサーベース５を取付け板１５にて取付け固定する。
【００１８】  その後、ドレッサーベース５のホルダー２２の挿入穴２１に、電極７のシャンク部２７を底面が段差２０に達するまで挿入し、回転止め部材２４の貫通孔２３を電極７のチップ部２に嵌め込み、ホルダー２２上端の小判形の切欠き溝１９に回転止め部材２４を嵌め込む。これにより電極７の回転は回転止め部材２４により阻止される。
【００１９】  さらに、ボール盤２を動作してドレッサーヘッド１を回転させるとともに、ボール盤２のハンドル４を操作してドレッサーヘッド１を下降し、穴部９にドレッサーベース５に取付けられた電極７に挿入し、ドレッサーヘッド１の内側に取付けられたカッター刃１２を電極７のチップ部２８を先端に当接し、チップ部２８を切削加工する。
【００２０】  ドレッサーヘッド１のカッター刃１２が電極７のチップ部２８に当接するときに強い衝撃力が掛るが、コイルばね２６にて衝撃力が緩和されカッター刃１２と電極７が衝撃により破損するのを防止するとともに、研磨加工のとき、電極７はカッター刃１２にて回転する力が働くが、回転止め部材２４がホルダー２２上端の切欠き溝１９に嵌め込まれているので電極７の回転は阻止される。
【００２１】  さらにこの後、ボール盤２のハンドル４を戻してドレッサーヘッド１を上昇し、ドレッサーベース５に取付けられていた電極７を回転止め部材２４と共にドレッサーベース５から外す。
【００２２】  以上のように、本発明では、ドレッサーベース５のホルダー２２に、シャンク部２７とチップ部２８を一体に形成した電極７を、回転止め部材２４にて回転を阻止して取付けたので、ドレッサーベース５に電極７を取付け、ボール盤２を動作して、ハンドル４を操作するだけで、誰にでも簡単に、シャンク部２７とチップ部２８を一体に形成した電極７の切削加工ができる。
【００２３】  また、ホルダー２２の上端に設けた切欠き溝１９に電極７のチップ部２８を挿入した回転止め部材２４を嵌め込んだので電極７の着脱が容易にできる。
【符号の説明】
【００２４】    １  ドレッサーヘッド
２  ボール盤
３  ドリル装着部
４  ハンドル
５  ドレッサーベース
６  テーブル
７  電極
８  取付け用軸部
９  穴部
１０  筒状本体
１２  カッター
１３  挿入穴
１５  取付け板
１６  角柱状の本体
１９  切欠き部
２１  挿入穴
２２  ホルダー
２３  貫通孔
２４  回転止め部材
２７  シャンク部
２８  チップ部
【図１】
2018183814.tif 000003
【図２】
2018183814.tif 000004
【図３】
2018183814.tif 000005
【図４】
2018183814.tif 000006
【図５】
2018183814.tif 000007
【図６】
2018183814.tif 000008
【図７】
2018183814.tif 000009